(57)【特許請求の範囲】
【請求項１】
互いに対向する２枚の基板間に、電気光学材料と、ｉ本の第１ラインおよびこれに交差する複数の第２ラインを備える第１画面と第２画面とから構成され、各画面毎にｉ本の前記第１ラインと接続される接続端子および非接続端子からなる入力端子群を備えたパネルに接続して用いる実装構造体であって、複数本のＩＣ出力端子のうち一部を使用してｉ本の前記第１ラインを駆動するとともに、スキャン方向を逆転可能な駆動ＩＣと、
前記入力端子群に接続される少なくともｉ＋１個の端子を備え、前記パネルに接続されたときｉ個の端子がｉ本の前記第１ラインと各々導通する基板出力端子と、
非接続の前記ＩＣ出力端子の数が左右均等になるように前記ＩＣ出力端子の一部と前記基板出力端子とを各々接続する配線と
を備えたことを特徴とする実装構造体。
【請求項２】
互いに対向する２枚の基板間に、電気光学材料と、ｉ本の第１ラインおよびこれに交差する複数の第２ラインを備える第１画面と第２画面とから構成され、各画面毎にｉ本の前記第１ラインと接続される接続端子および１個の非接続端子からなる入力端子群を備えたパネルに接続して用いる実装構造体であって、
ｎ本のＩＣ出力端子の一部を使用してｉ本の第１ラインを駆動するとともに、前記第１ラインのスキャン方向を逆転可能な駆動ＩＣと、
前記入力端子群と接続されるｉ＋１個の基板出力端子と、
ｍ＋１番目からｍ＋ｉ＋１番目までの前記ＩＣ出力端子を前記基板出力端子と各々接続するｉ＋１本の配線とを備え、
ｎとｉにはｎ−ｉ＝２ｍ＋１（ｍは０以上の整数）の関係があることを特徴とする実装構造体。
【請求項３】
互いに対向する２枚の基板間に、電気光学材料と、ｉ本の第１ラインおよびこれに交差する複数の第２ラインを有する第１画面と第２画面とから構成され、前記第１画面の端部にｉ本の前記第１ラインと接続される接続端子および非接続端子を有する第１の入力端子群を、前記第２画面の端部にｉ本の前記第１ラインと接続される接続端子および非接続端子を有する第２の入力端子群を備えたパネルと、
第１の実装構造体と第２の実装構造体とを備え、
前記第１の実装構造体は、
複数本のＩＣ出力端子のうち一部を使用して前記第１画面の前記第１ラインを正転のスキャン方向で駆動する駆動ＩＣと、
前記第１の入力端子群と接続され、少なくともｉ＋１個の端子を有し、ｉ個の端子が前記第１画面の前記第１ラインと各々導通する基板出力端子と、
非接続の前記ＩＣ出力端子の数が左右均等になるように前記ＩＣ出力端子の一部と前記基板出力端子とを各々接続する配線とを備え、
前記第２の実装構造体は、
複数本のＩＣ出力端子のうち一部を使用して前記第２画面の前記第１ラインを逆転のスキャン方向で駆動する駆動ＩＣと、
前記第２の入力端子群と接続され、少なくともｉ＋１個の端子を有し、ｉ個の端子が前記第２画面の前記第１ラインと各々導通する基板出力端子と、
非接続の前記ＩＣ出力端子の数が左右均等になるように前記ＩＣ出力端子の一部と前記基板出力端子とを各々接続する配線とを備え
たことを特徴とする電気光学装置。
【請求項４】
互いに対向する２枚の基板間に、電気光学材料と、ｉ本の第１ラインおよびこれに交差する複数の第２ラインを有する第１画面と第２画面とから構成され、前記第１画面の端部にｉ本の前記第１ラインと接続されるｉ個の接続端子および１個の非接続端子を有する第１の入力端子群を、前記第２画面の端部にｉ本の前記第１ラインと接続されるｉ個の接続端子および１個の非接続端子を有する第２の入力端子群を備えたパネルと、
第１の実装構造体と第２の実装構造体とを備え、
前記第１の実装構造体は、
ｎ本のＩＣ出力端子の一部を使用して前記第１画面の前記第１ラインを正転のスキャン方向で駆動する駆動ＩＣと、
前記第１の入力端子群と接続されるｉ＋１個の基板出力端子と、
ｍ＋１番目からｍ＋ｉ＋１番目までの前記ＩＣ出力端子を前記基板出力端子と各々接続するｉ＋１本の配線とを備え、
前記第２の実装構造体は、
ｎ本のＩＣ出力端子の一部を使用して前記第２画面の前記第１ラインを逆転のスキャン方向で駆動する駆動ＩＣと、
前記第２の入力端子群と接続されるｉ＋１個の基板出力端子と、
ｍ＋１番目からｍ＋ｉ＋１番目までの前記ＩＣ出力端子を前記基板出力端子と各々接続するｉ＋１本の配線とを備え、
ｎとｉにはｎ−ｉ＝２ｍ＋１（ｍは０以上の整数）の関係があることを特徴とする電気光学装置。
【請求項５】
前記第１ラインはデータ電極であり、前記第２ラインは走査電極であり、前記電気光学材料は前記各データ電極と前記各走査電極との間に挟持されることを特徴とする請求項３または４に記載の電気光学装置。
【請求項６】
前記第１ラインは走査電極であり、前記第２ラインはデータ電極であり、前記電気光学材料は前記各データ電極と前記各走査電極との間に挟持されることを特徴とする請求項３または４に記載の電気光学装置。
【請求項７】
前記パネルは、前記第１ラインとしてのｉ本のデータ線と、前記第２ラインとしての複数の走査線と、前記データ線と前記走査線の交差に対応してマトリクス状に配置された画素電極およびスイッチング素子を有することを特徴とする請求項３または４に記載の電気光学装置。
【請求項８】
前記パネルは、前記第１ラインとしてのｉ本の走査線と、前記第２ラインとしての複数のデータ線と、前記走査線と前記データ線の交差に対応してマトリクス状に配置された画素電極およびスイッチング素子を有することを特徴とする請求項３または４に記載の電気光学装置。
【請求項９】
互いに対向する２枚の基板間に、電気光学材料と、ｉ本の第１ラインおよびこれに交差する複数の第２ラインを備える第１画面と第２画面とから構成され、各画面毎にｉ本の前記第１ラインと接続される接続端子および非接続端子からなる入力端子群を備えたパネルに、複数本のＩＣ出力端子のうち一部を使用してｉ本の前記第１ラインを駆動するとともに、前記第１ラインのスキャン方向を逆転可能な駆動ＩＣを接続する駆動ＩＣの接続方法であって、
非接続の前記ＩＣ出力端子の数が左右均等になるように前記ＩＣ出力端子の一部と前記入力端子群とを接続することを特徴とする駆動ＩＣの接続方法。
【請求項１０】
互いに対向する２枚の基板間に、電気光学材料と、ｉ本の第１ラインおよびこれに交差する複数の第２ラインを備える第１画面と第２画面とから構成され、各画面毎にｉ本の前記第１ラインと接続される接続端子および１個の非接続端子からなる入力端子群を備えたパネルに、ｎ本のＩＣ出力端子の一部を使用してｉ本の第１ラインを駆動するとともに、前記第１ラインのスキャン方向を逆転可能な駆動ＩＣを接続する駆動ＩＣの接続方法であって、
ｍ＋１番目からｍ＋ｉ＋１番目までの前記ＩＣ出力端子を前記入力端子群に各々接続し、ｎとｉにはｎ−ｉ＝２ｍ＋１（ｍは０以上の整数）の関係があることを特徴とする駆動ＩＣの接続方法。
【請求項１１】
請求項３乃至８のいずれか１項に記載の電気光学装置を備えたことを特徴とする電子機器。
【発明の詳細な説明】
【０００１】
【発明の属する技術分野】
本発明は、２画面で構成されるパネルに好適な実装構造体、電気光学装置、電子機器、および駆動ＩＣ(Integrated Circuit)の接続方法に関する。
【０００２】
【従来の技術】
一般に、パッシブ・マトリクス方式の液晶表示装置は、主に、複数の走査電極（コモン電極）が配列された第１の基板と、各走査電極に交差するように複数のデータ電極（セグメント電極）が形成された第２の基板と、両基板間シール材によって囲まれた領域に充填された液晶とから構成される。そして、走査電極とデータ電極の間に充填された液晶により液晶層が構成され、走査電極とデータ電極との交差領域に狭持される液晶層および当該交差領域に対応する両電極によって画素が構成される。
【０００３】
このようなマトリック方式の液晶表示装置において、走査電極とデータ電極とを駆動する駆動回路を実装する技術として、ＴＡＢ（tape automated bonding）法が知られている。ＴＡＢ法では、ポリイミドなどを基材としたＦＰＣ（flexible printed circuit）上に形成された銅箔性リードをドライバＩＣの金バンプに複数本一括して金属共晶結合により結合する。この後、ドライバＩＣ、及び結合部をモールドで固化する。こうして得られたドライバＩＣのパッケージ形態はＴＣＰ（tape carrier package）と呼ばれる。
【０００４】
また、液晶表示装置においては、１枚の液晶パネルを上下方向に分割して、上側第１画面と下側第２画面とを独立して各々駆動するものがある。このような液晶パネルを駆動する際には、上側第１画面用のドライバＩＣと下側第２画面用のドライバＩＣとを用いることになる。この場合、液晶パネルの上側の１辺に上側第１画面用の駆動端子群を設けるとともに、下側の１辺に下側第２画面用の駆動端子群を設けて、各々の駆動端子群にＴＣＰを接続することがある。ここで、上側第１画面用のＴＣＰと下側第２画面用のＴＣＰを兼用できれば、ＴＣＰの生産性を向上させることができ、ひいては液晶表示装置全体のコストを下げることができる。
【０００５】
ところで、上側の駆動端子と下側の駆動端子にドライバＩＣを各々接続する場合、走査電極あるいはデータ電極に対するドライバＩＣの相対的な位置関係が逆転してしまう。このため、ＴＣＰを兼用する場合には、走査電極あるいはデータ電極のスキャン方向を逆転可能なドライバＩＣを使用する必要がある。
【０００６】
また、液晶パネルの分割法には各種の態様が考えられるが、上側第１画面と下側第２画面の表示容量を一致するように分割するものとすれば、走査電極数とデータ電極数とは各々上側第１画面と下側第２画面とで一致する。この場合、当該液晶パネルに専用のドライバＩＣ（上側第１画面と下側第２画面との走査電極数およびデータ電極数と一致する出力端子を備えたもの）をスキャン方向を逆転させつつ使用すれば、ＴＣＰを上側第１画面と下側第２画面とで兼用することが可能である。
【０００７】
【発明が解決しようとする課題】
しかしながら、液晶パネルの表示容量は多種多様であるため、これらの液晶パネルに専用のドライバＩＣを各々設計し製造するのではなく、既存のドライバＩＣを利用できれば便利である。具体的には、対象となる液晶表示パネルのデータ電極数よりデータ出力端子数が多いものや、その走査電極数より走査出力端子数が多いドライバＩＣを使用する場合である。
【０００８】
例えば、ｉ本のデータ電極を有する液晶表示パネルを、データ電極用の出力端子がｎ（ｎ＞ｉ）本であるドライバＩＣを用いて駆動するとき、ｎ−ｉが奇数であり、ｉ本の出力端子とデータ電極とをＴＣＰによって接続するものとする。この場合、ｎ−ｉが奇数であることから、ドライバＩＣの出力端子のうちデータ電極に接続されない端子数を左右均等にすることができない。このため、そのようなＴＣＰを上側第１画面と下側第２画面とで構成されたパネルに用いると、上下で表示画面が横方向にずれてしまいＴＣＰを兼用することができないといった問題があった。
【０００９】
一方、横方向のずれをドライバＩＣに供給するデータ信号又は階調データのタイミングを調整することによってなくすことも考えられるが、この場合には、データ信号又は階調データを制御するプログラムソフトを変更しなければならず、ソフト的な負荷が増大するといった問題があった。
【００１０】
本発明は、このような事情に鑑みてなされたものであり、その目的とするところは、２画面で構成されるパネルに好適な実装構造体、電気光学装置、電子機器、および駆動ＩＣの接続方法を提供することにある。
【００１１】
【課題を解決するための手段】
上記目的を達成するため、本発明の実装構造体は、互いに対向する２枚の基板間に、電気光学材料と、ｉ本の第１ラインおよびこれに交差する複数の第２ラインを備える第１画面と第２画面とから構成され、各画面毎にｉ本の前記第１ラインと接続される接続端子および非接続端子からなる入力端子群を備えたパネルに接続して用いるものであって、複数本のＩＣ出力端子のうち一部を使用してｉ本の前記第１ラインを駆動するとともに、前記第１ラインのスキャン方向を逆転可能な駆動ＩＣと、前記入力端子群に接続される少なくともｉ＋１個の端子を備え、前記パネルに接続されたときｉ個の端子がｉ本の前記第１ラインと各々導通する基板出力端子と、非接続の前記ＩＣ出力端子の数が左右均等になるように前記ＩＣ出力端子の一部と前記基板出力端子とを各々接続する配線とを備えたことを特徴とする。
【００１２】
本発明のこのような構成によれば、駆動ＩＣのスキャン方向が正転の場合にｉ本の第１ラインのうちあるラインが駆動ＩＣのＩＣ出力端子の一端からＰ番目の端子と接続されるものとすれば、スキャン方向を逆転させた場合、当該ラインはＩＣ出力端子の他端からＰ番目に接続されることになる。したがって、スキャン方向を逆転させるだけで第１画面用の実装構造体を第２画面用の実装構造体として使用することができる。この結果、スキャンタイミングを調整するためのソフト上の変更が不要となり、既存の駆動ＩＣを用いて第１画面と第２画面に兼用の実装構造体を容易に構成することができる。
【００１３】
また、本発明の実装構造体は、互いに対向する２枚の基板間に、電気光学材料と、ｉ本の第１ラインおよびこれに交差する複数の第２ラインを備える第１画面と第２画面とから構成され、各画面毎にｉ本の前記第１ラインと接続される接続端子および１個の非接続端子からなる入力端子群を備えたパネルに接続して用いるものであって、ｎ本のＩＣ出力端子の一部を使用してｉ本の第１ラインを駆動するとともに、前記第１ラインのスキャン方向を逆転可能な駆動ＩＣと、前記入力端子群と接続されるｉ＋１個の基板出力端子と、ｍ＋１番目からｍ＋ｉ＋１番目までの前記ＩＣ出力端子を前記基板出力端子と各々接続するｉ＋１本の配線とを備え、ｎとｉにはｎ−ｉ＝２ｍ＋１（ｍは０以上の整数）の関係があることを特徴とする。
【００１４】
この構成は、駆動ＩＣのＩＣ出力端子数ｎと第１ライン数ｉとの差が奇数となる場合に、１本だけ余分な配線、基板出力端子および入力端子群を構成する端子を使用する。これにより、駆動ＩＣのスキャン方向が正転の場合にｉ本の第１ラインのうちあるラインが駆動ＩＣのＩＣ出力端子の一端からＰ番目の端子と接続されるものとすれば、スキャン方向を逆転させた場合、当該ラインはＩＣ出力端子の他端からＰ番目に接続されることになる。したがって、最小の構成を付加するだけで、第１画面と第２画面の実装構造体を兼用することができる。
【００１５】
また、本発明の電気光学装置は、互いに対向する２枚の基板間に、電気光学材料と、ｉ本の第１ラインおよびこれに交差する複数の第２ラインを有する第１画面と第２画面とから構成され、前記第１画面の端部にｉ本の前記第１ラインと接続される接続端子および非接続端子を有する第１の入力端子群を、前記第２画面の端部にｉ本の前記第１ラインと接続される接続端子および非接続端子を有する第２の入力端子群を備えたパネルと、第１の実装構造体と第２の実装構造体とを備え、前記第１の実装構造体は、複数本のＩＣ出力端子のうち一部を使用して前記第１画面の前記第１ラインを正転のスキャン方向で駆動する駆動ＩＣと、前記第１の入力端子群と接続され、少なくともｉ＋１個の端子を有し、ｉ個の端子が前記第１画面の前記第１ラインと各々導通する基板出力端子と、非接続の前記ＩＣ出力端子の数が左右均等になるように前記ＩＣ出力端子の一部と前記基板出力端子とを各々接続する配線とを備え、前記第２の実装構造体は、複数本のＩＣ出力端子のうち一部を使用して前記第２画面の前記第１ラインを逆転のスキャン方向で駆動する駆動ＩＣと、前記第２の入力端子群と接続され、少なくともｉ＋１個の端子を有し、ｉ個の端子が前記第２画面の前記第１ラインと各々導通する基板出力端子と、非接続の前記ＩＣ出力端子の数が左右均等になるように前記ＩＣ出力端子の一部と前記基板出力端子とを各々接続する配線とを備えたことを特徴とする。
【００１６】
このような構成によれば、駆動ＩＣのスキャン方向を切り換えるだけで、第１の実装構造体を第２の実装構造体として使用することができ、また逆に第２の実装構造体を第１の実装構造体としても使用することができる。しかも、駆動ＩＣのＩＣ出力端子数は、第１ライン数より多いので既存の駆動ＩＣを使用することができる。
【００１７】
また、本発明の電気光学装置は、互いに対向する２枚の基板間に、電気光学材料と、ｉ本の第１ラインおよびこれに交差する複数の第２ラインを有する第１画面と第２画面とから構成され、前記第１画面の端部にｉ本の前記第１ラインと接続されるｉ個の接続端子および１個の非接続端子を有する第１の入力端子群を、前記第２画面の端部にｉ本の前記第１ラインと接続されるｉ個の接続端子および１個の非接続端子を有する第２の入力端子群を備えたパネルと、第１の実装構造体と第２の実装構造体とを備え、前記第１の実装構造体は、ｎ本のＩＣ出力端子の一部を使用して前記第１画面の前記第１ラインを正転のスキャン方向で駆動する駆動ＩＣと、前記第１の入力端子群と接続されるｉ＋１個の基板出力端子と、ｍ＋１番目からｍ＋ｉ＋１番目までの前記ＩＣ出力端子を前記基板出力端子と各々接続するｉ＋１本の配線とを備え、前記第２の実装構造体は、ｎ本のＩＣ出力端子の一部を使用して前記第２画面の前記第１ラインを逆転のスキャン方向で駆動する駆動ＩＣと、前記第２の入力端子群と接続されるｉ＋１個の基板出力端子と、ｍ＋１番目からｍ＋ｉ＋１番目までの前記ＩＣ出力端子を前記基板出力端子と各々接続するｉ＋１本の配線とを備え、ｎとｉにはｎ−ｉ＝２ｍ＋１（ｍは０以上の整数）の関係があることを特徴とする。
【００１８】
このような構成によれば、駆動ＩＣのスキャン方向を切り換えるだけで、第１の実装構造体と第２の実装構造体とを相互に使用でき、しかも、既存の駆動ＩＣを使用することができ、くわえて、駆動ＩＣと基板出力端子とを結ぶ配線は１本余分に設けるだけで済むので、配線のピッチの縮小を最小限に押さえることができる。
【００１９】
また、本発明に係る電気光学装置において、前記第１ラインはデータ電極であり、前記第２ラインは走査電極であり、前記電気光学材料は前記各データ電極と前記各走査電極との間に挟持されるものであってもよい。この場合、前記第１ラインは走査電極であり、前記第２ラインはデータ電極であってもよい。
【００２０】
また、本発明に係る電気光学装置において、前記パネルは、前記第１ラインとしてのｉ本のデータ線と、前記第２ラインとしての複数の走査線と、前記データ線と前記走査線の交差に対応してマトリクス状に配置された画素電極およびスイッチング素子を有するものであってもよい。この場合、前記第１ラインはｉ本の走査線で、前記第２ラインが複数のデータ線であってもよい。
【００２１】
また、本発明は、駆動ＩＣの接続方法の発明として捉えることも可能である。この発明では、互いに対向する２枚の基板間に、電気光学材料と、ｉ本の第１ラインおよびこれに交差する複数の第２ラインを備える第１画面と第２画面とから構成され、各画面毎にｉ本の前記第１ラインと接続される接続端子および非接続端子からなる入力端子群を備えたパネルに、複数本のＩＣ出力端子のうち一部を使用してｉ本の前記第１ラインを駆動するとともに、前記第１ラインのスキャン方向を逆転可能な駆動ＩＣを接続することを前提とし、非接続の前記ＩＣ出力端子の数が左右均等になるように前記ＩＣ出力端子の一部と前記入力端子群とを接続することを特徴とする。
【００２２】
また、駆動ＩＣの接続方法の他の発明としては、互いに対向する２枚の基板間に、電気光学材料と、ｉ本の第１ラインおよびこれに交差する複数の第２ラインを備える第１画面と第２画面とから構成され、各画面毎にｉ本の前記第１ラインと接続される接続端子および１個の非接続端子からなる入力端子群を備えたパネルに、ｎ本のＩＣ出力端子の一部を使用してｉ本の第１ラインを駆動するとともに、前記第１ラインのスキャン方向を逆転可能な駆動ＩＣを接続することを前提とし、ｍ＋１番目からｍ＋ｉ＋１番目までの前記ＩＣ出力端子を前記入力端子群に各々接続し、ｎとｉにはｎ−ｉ＝２ｍ＋１（ｍは０以上の整数）の関係があることを特徴とするものがある。
【００２３】
さらに、本発明の電子機器にあっては、上記のいずれかに記載の発明の電気光学装置を備えたことを特徴としている。このような電気光学装置を適用した電子機器としては、例えば、携帯電話機、カーナビゲーションシステム、情報端末機器、その他各種の電子機器が考えられる。
【００２４】
【発明の実施の形態】
以下、本発明の実施の形態について図面を参照して説明する。
【００２５】
＜１．第１実施形態＞
＜１−１．液晶表示装置の概略＞
図１は、第１実施形態に係る液晶表示装置の要部概略構成を示すブロック図である。
【００２６】
同図に示すように、液晶表示装置は、パッシブ・マトリックス形式の液晶表示パネル１０、第１および第２の走査電極駆動回路１００Ａ，１００Ｂ、第１および第２のデータ電極駆動回路１１０Ａ，１１０Ｂ、制御回路１２０および電源回路１３０から大略構成される。
【００２７】
まず、液晶表示パネル１０は、第１パネル（第１画面）１０Ａと第２パネル（第２画面）１０Ｂとから構成され、各パネルはｉ本のデータ電極（セグメント電極）X1〜Xiとｊ本の走査電極（コモン電極）Y1〜Yjとを各々備えている。そして、データ電極X1〜Xiと走査電極Y1〜Yjとの各交差点において、画素領域１６が形成されており、各画素領域１６は、液晶表示要素（後述する液晶層１８）から構成されている。
【００２８】
第１パネル１０Ａの各走査電極Y1〜Yjは第１の走査電極駆動回路１００Ａによって、また、第２パネル１０Ｂの各走査電極Y1〜Yjは第２の走査電極駆動回路１００Ｂによって駆動される。一方、第１パネル１０Ａの各データ電極X1〜Xiは第１のデータ電極駆動回路１１０Ａによって、第２パネル１０Ｂの各データ電極X1〜Xiは第２のデータ電極駆動回路１１０Ｂによって、それぞれ駆動される。
【００２９】
また、後述するように第１の走査電極駆動回路１００Ａおよび第１のデータ電極駆動回路１１０Ａ、第２の走査電極駆動回路１００Ｂおよび第２のデータ電極駆動回路１１０Ｂは各々１チップのドライバＩＣとして構成される。そして、各ドライバＩＣは２個のＴＣＰ上に各々実装され、一方のＴＣＰが液晶表示パネル１０の上方向から、他方のＴＣＰが液晶表示パネル１０の下方向から接続されるようになっている。
【００３０】
次に、第１および第２の走査電極駆動回路１００Ａ，１００Ｂは、第１および第２パネル１０Ａ，１０Ｂの走査電極数と一致するｊ個の出力端子Y1'〜Yj'を各々有している。一方、第１および第２のデータ電極駆動回路１１０Ａ，１１０Ｂは、ｎ本の出力端子X1'〜Xn'を各々有している。ここで、出力端子数ｎとデータ電極数ｉとの間には、ｎ＝ｉ＋２ｍ+１の関係がある（ｍは０以上の整数）。すなわち、出力端子数の方がデータ電極数よりも２ｍ＋１本多くなっている。このため、液晶表示パネル１０のデータ電極数より多い出力端子数を有するデータ電極駆動回路を用いることができる。
【００３１】
上述したように各ＴＣＰは、液晶表示パネル１０の上下方向から各々接続されるので、第１パネル１０Ａと第２パネル１０Ｂでは、データ電極X1〜Xiおよび走査電極Y1〜Yjの接続状態が逆転する。具体的には、第１パネル１０Ａのデータ電極X1,X2,…Xiには第１のデータ電極駆動回路１１０Ａの出力端子Xm+1',Xm+2',…Xm+i'が順番に接続されるのに対し、第２パネル１０Ｂのデータ電極X1,X2,…Xiには第２のデータ電極駆動回路１１０Ｂの出力端子Xm+i+1',Xm+i',…Xm+2'が順番に接続される。また、第１パネル１０Ａの走査電極Y1,Y2,…Yjに第１の走査電極駆動回路１００Ａの出力端子Y1',Y2',…Yj'が順番に接続されるのに対し、第２パネル１０Ｂの走査電極Y1,Y2,…Yjには第２のデータ電極駆動回路１００Ｂの出力端子Yj',Yj-1,…Y1'が順番に接続される。
【００３２】
次に、第１および第２の走査電極駆動回路１００Ａ，１００Ｂは、いわゆる双方向レジスタを有しており、電源電圧Ｖ、ＹシフトスタートパルスYS、ＹシフトクロックYCLK、および制御信号CTLY等に基づいて、この双方向シフトレジスタから所定パルス幅および所定タイミングの走査信号を生成し、走査信号を走査電極Y1,Y2,…Yjに線順次で供給するように構成されている。
【００３３】
このとき、当該シフトレジスタは垂直走査期間毎に供給されるＹシフトスタートパルスYSを受けてシフト開始し、水平走査期間毎に供給されるＹシフトクロックYCLKに同期してシフト動作することにより、そのシフトに応じて走査信号を水平走査期間毎に順次生成する。
【００３４】
ここで、第１および第２の走査電極駆動回路１００Ａ，１００Ｂは、制御信号CTLYに含まれる転送方向制御信号に従って、上記双方向シフトレジスタの転送方向(電極のスキャン方向)を順方向または逆方向に固定することによって、各出力端子Y1',Y2',…Yj'に対して、上から下の順序で走査信号を出力することも（順方向）、下から上の順序で走査信号を出力することも（逆方向）可能である。
【００３５】
この例では、第１の走査電極駆動回路１００Ａは順方向で、一方、第２の走査電極駆動回路１００Ｂは逆方向で走査するように転送方向制御信号が供給される。したがって、上述したように第２の走査電極駆動回路１００Ｂの出力端子Yj',Yj-1,…Y1'が第２パネル１０Ｂの走査電極Y1,Y2,…Yjに接続されていても、第２パネル１０Ｂには、第１パネル１０Ａと同様に、走査電極Y1→走査電極Y2→…走査電極Yjの順に走査信号が供給されることになる。
【００３６】
次に、第１および第２のデータ電極駆動回路１１０Ａ，１１０Ｂは、走査電極駆動回路と同様に、双方向レジスタを有しており、各種の電源電圧Ｖ、ＸシフトスタートパルスXS、ＸシフトクロックXCLK、階調データDaおよび制御信号CTLX等に基づいて、階調データDaの値に応じたパルス幅および所定タイミングのデータ信号を生成し、データ信号をデータ電極X1,X2,…Xiに供給するように構成されている。また、第１および第２のデータ電極駆動回路１１０Ａ，１１０Ｂは、制御信号CTLXに含まれる転送方向制御信号に従って、上記双方向シフトレジスタの転送方向を順方向または逆方向に固定することによって、各出力端子X1',X2',…Xn'に対して、左から右の順序でデータ信号を生成することも（順方向）、右から左の順序でデータ信号を生成することも（逆方向）可能である。
【００３７】
この例では、第１のデータ電極駆動回路１１０Ａは順方向で、一方、第２の走データ電極駆動回路１１０Ｂは逆方向で転送するように転送方向制御信号が供給されるようになっている。ここで、第１パネル１０Ａのデータ電極X1は出力端子X1'からｍ番目の出力端子Xm+1'に接続されており、第２パネル１０Ｂのデータ電極X1は出力端子Xnからｍ番目の出力端子Xm+i+1'に接続されている。したがって、上述したように第２のデータ電極駆動回路１１０Ｂの出力端子Xm+i+1',Xm+i',…Xm+2'が第２パネル１０Ｂのデータ電極X1,X2,…Xiに接続されていても、第２パネル１０Ｂには、第１パネル１０Ａと同様に、データ電極X1→データ電極X2→…データ電極Xiの順にデータ信号が供給されることになる。
【００３８】
次に、制御回路１２０は、上述したＹシフトスタートパルスYS、ＹシフトクロックYCLK、制御信号CTLY、ＸシフトスタートパルスXS、ＸシフトクロックXCLK、階調データDaおよび制御信号CTLXを生成する。
【００３９】
また、電源回路１３０は、走査信号およびデータ信号を生成するために用いられる各種の電源電圧Ｖを生成する。
【００４０】
＜１−２．液晶表示パネル＞
次に、液晶表示パネルについて説明する。図２は、液晶表示パネルの構成を示す平面図であり、図３は図２に示す液晶表示パネルをＨ−Ｈ‘で切った断面図である。
【００４１】
図に示すように、液晶表示パネル１０は、基板１１とこれより縦方向の長さが短い対向基板１２を備えている。基板１１および対向基板１２は、例えば、ガラス、プラスチックなどから構成される。基板１１上にはシール部１３がその縁に沿って設けられており、その内側に並行して、表示領域周辺の非表示領域を囲む遮光膜１４が設けられている。シール部１３には、異方性導電微粒子を含有する紫外線硬化型の接着材や熱硬化型の接着材が用いられている。そして、シール部１３の内側に液晶が注入され、これによって液晶層１８が形成されている。
【００４２】
また、基板１１の下辺には、第１パネル１０Ａ用の入力端子群２１が設けられており、一方、基板１１の上辺には、第２パネル１０Ｂ用の入力端子群２２が設けられている。入力端子群２１は、第１パネル１０Ａの走査電極Y1〜Ykと走査電極Yk+1〜Yjとに各々接続される入力端子y1〜ykおよび入力端子yk+1〜yj、第１パネル１０Ａのデータ電極X1〜Xiに各々接続される入力端子x1〜xi、さらに、入力端子xiに隣接するとともにいずれの走査電極およびデータ電極にも接続されない入力端子NCから構成される。ここで、ｋは、ｊの略１／２になるように設定することが望ましい。例えば、６５本の走査電極を有するのであれば、ｋ＝３２に設定すればよい。
【００４３】
このように、走査電極用の入力端子をy1〜ykとyk+1〜yjとに分割して、入力端子群２１の左右端に各々配置したのは、ドライバＩＣのピン配置との関係でＴＣＰのリード線数を左右均等にする必要があること、および第１パネル１０Ａの内部配線を左右均等にすることが望ましいからである。
【００４４】
なお、入力端子群２２の各入力端子は、入力端子群２１と同様にy1〜yk,yk+1〜yj、x1〜xi、NCから構成され、ただ、その配置が図に示すように入力端子群２１と相違する。例えば、入力端子NCが入力端子x1に隣接して設けられている点で、入力端子NCが入力端子xiに隣接して設けられる入力端子群２１と相違する。
【００４５】
次に、図４は、第１パネル１０Ａを構成する基板１１上に形成される入力端子y1〜yj,x1〜xi,NCおよびデータ電極X1〜Xiを、シール部１３および遮光膜１４とともに示した平面図である。この図に示すように入力端子y1〜yjは、基板１１の端部からシール部１３の内部まで延在している。データ電極X1〜Xiは、遮光膜１４の内側の領域、すなわち画像表示領域において縦方向に形成されており、入力端子x1〜xiと接続されている。さらに、入力端子NCは、縦方向の長さが入力端子y1〜yjと比較して短かくシール部１３の内部に達していない。
【００４６】
次に、図５は、第１パネル１０Ａを構成する対向基板１２の下面に形成されるデータ電極Y1〜Yjをシール部１３および遮光膜１４とともに示した平面図である。この図に示すようにデータ電極Y1〜Ykは、画像表示領域を左側から回り込むように、シール部１３の内周から遮光膜１４の内周までの領域を用いてシール部１３の下辺外周まで引き回され、一方、データ電極Yk+1〜Yjは、画像表示領域を右側から回り込むように、シール部１３の下辺外周まで引き回されている。
【００４７】
ここで、基板１１に対向基板１２を重ねたとき、シール部１３の下辺におけるデータ電極Y1〜Yjは、基板１１に形成される入力端子y1〜yjに対向するように位置関係が設定されている。データ電極Y1〜Yjと入力端子y1〜yjとは、基板１１と対向基板１２を押圧しながら貼り合わせる際に、シール部１３に含まれる異方性導電微粒子を介して導通する。
【００４８】
＜１−３．ＴＣＰ＞
次に、ＴＣＰについて説明する。この例の液晶表示パネル１０は２画面で構成されており、第１パネル１０Ａ用の入力端子群２１と第２パネル１０Ｂ用の入力端子群２２とを備えるものであるから、各々の入力端子群２１，２２に対応してＴＣＰも２個必要となる。ここでは、第１パネル１０Ａと接続して使用するものを第１ＴＣＰ３１、また第２パネル１０Ｂと接続して使用するものを第２ＴＣＰ３２と呼ぶことにする。なお、第１ＴＣＰ３１と第２ＴＣＰ３２とは同一の構成であるので、以下の説明では、第１ＴＣＰ３１について説明し、第２ＴＣＰ３２の説明は省略する。
【００４９】
図６は、本実施形態に用いられるＴＣＰの透過平面図である。また、図７は、ＴＣＰの断面図である。
【００５０】
図に示すように第１ＴＣＰ３１は、ドライバＩＣ３１１と基板３１３とから大略構成される。このドライバＩＣ３１１は、図１に示す第１の走査電極駆動回路１００Ａおよび第１のデータ電極駆動回路１１０Ａを内蔵している。また、その入出力端子は、ドライバＩＣ３１１の底面から突出した金バンプ３１２によって構成されている。
【００５１】
次に、基板３１３は、ベース基材３１４、入力端子群３１５、出力端子群３１６、接続リード３１７、レジスト膜３１８およびモールド３１９から構成されている。ベース基材３１４の材料としては、例えば、ポリイミドフィルムなどのプラスチックを用いることが好ましい。これにより、第１ＴＣＰ３１を折り曲げることが可能となり、フレキシブルな実装を実現できる。
【００５２】
次に、ベース基材３１４の裏面側には、入出力端子群３１５,３１６と各接続リード３１７とを結ぶ配線がなされている。この配線は、銅箔をフォトエッチング法でパターニングすることによって形成される。また、配線の上にはレジスト膜３１８が形成される。なお、接続リード３１７にはスズメッキが施されている。
【００５３】
次に、ドライバＩＣ３１１の金バンプ３１２と接続リード３１７の電気的接続は、接続リード３１７のスズメッキ層と金バンプ３１７との金属共晶結合で行われ、ギャングボンディング法と呼ばれる一括同時に接続する方法が採られる。この手法によれば、１ピンごとに接続するワイヤーボンディング法に比較して作業時間を大幅に短縮することができる。
【００５４】
次に、モールド３１９は、ドライバＩＣ３１１と接続リード３１７とが接続された後、ベース基材３１４の裏面側から流し込むことによって形成され、ドライバＩＣ３１１とベース基材３１４とを固着するとともに接続部を保護する。
【００５５】
なお、第１ＴＣＰ３１の出力端子群３１６と第１パネル１０Ａの入力端子群２１との接続は、導電性の微粒子を接着材に含有してなる異方性導電膜（ACF:anisotropic conductive film）を用いて行われる。
【００５６】
＜１−４．ドライバＩＣと液晶表示パネルとの接続＞
次に、ドライバＩＣと液晶表示パネルの接続について説明する。図８は接続状態を説明するための模式図である。なお、以下の説明では第１ＴＣＰ３１に設けられたドライバＩＣ３１７を第１ドライバＩＣ317a、第２ＴＣＰ３２に設けられたドライバＩＣ３１７を第２ドライバＩＣ317bと呼ぶことにする。
【００５７】
この図に示すように第１ドライバＩＣ317aの出力端子のうちY1'〜Yj'は、入力端子群２１を構成する入力端子y1〜yjを介して第１パネル１０Ａの走査電極Y1〜Yjに接続されている。一方、第２ドライバＩＣ317bの出力端子Y1'〜Yj'は、第２パネル１０Ａの走査電極Yj〜Y1に接続されている。換言すれば、第１パネル１０Ａと第２パネル１０Ｂでは、走査電極Y1〜Yjの接続順序が逆になる。
【００５８】
次に、 第１ドライバＩＣ317aの出力端子のうちXm+1'〜Xm+i'は、入力端子群２１を構成する入力端子x1〜xiを介して第１パネル１０Ａのデータ電極X1〜Xiに接続されており、さらに出力端子Xm+i+1'は入力端子NCに接続されている。一方、第２ドライバＩＣ317bの出力端子Xm+i+1'〜Xm+2'は、第２パネル１０Ａのデータ電極X1〜Xiに接続されている。さらに出力端子Xm+1'は入力端子NCに接続されている。
【００５９】
ここで、第１および第２ドライバＩＣ317a,317bにおいて、駆動すべきデータ電極数がｉ本であるにも拘わらず、ｉ＋１本の出力端子Xm+1'〜Xm+i+1'を第１または第２ＴＣＰ３１，３２の出力端子群３１６まで配線し、出力端子Xm+1'またはXm+i+1'を入力端子NCに接続した理由について図９を参照しつつ説明する。図９は、第１ドライバＩＣ317aと第２ドライバＩＣ317bの各出力端子とデータ電極との対応関係を転送方向（スキャン方向）とともに各々示した模式図である。
【００６０】
この図に示すように、第１ドライバＩＣ317aの出力端子Xm+1'は左端の出力端子X1'からｍ+１番目のものであり、この出力端子Xm+1'によって第１パネル１０Ａのデータ電極X1が駆動される。ここで、第１ドライバＩＣ317aと第２ドライバＩＣ317bでは、転送方向が逆転しており、第１ドライバＩＣ317aは左から右にスキャンされ（端子番号の昇順）、第２ドライバＩＣ317bでは右から左にスキャンされる（端子番号の降順）。
【００６１】
この場合、第１および第２ドライバ317a,317bに供給するデータ信号又は階調データDaのタイミングを同様に設定しようとすれば、すなわち、データ信号又は階調データDaの転送タイミングを制御するプログラムソフトの変更を行わないものとすれば、第２ドライバ317bによって駆動すべき第２パネル１０Ｂのデータ電極Xiは、右端の出力端子Xn'からｍ+１番目のものである必要がある。このため、データ電極X1は第２ドライバ317bの出力端子Xm+i+1'に接続する必要がある。
【００６２】
したがって、図９に示すように第１パネル１０Ａのデータ電極X1〜Xiを第１ドライバＩＣ317aの出力端子Xm+1'〜Xm+i'に接続するのであれば、第２パネル１０Ｂのデータ電極X1〜Xiは、第２ドライバＩＣ317aの出力端子Xm+2'〜Xm+i+1'に接続する必要がある。ここで、第１ＴＣＰ３１と第２ＴＣＰ３２に互換性を持たせようとすれば、第１ドライバＩＣ317aまたは第２ドライバＩＣ317bの出力端子Xm+1'〜Xm+i+1'を使用できるように、第１ＴＣＰ３１または第２ＴＣＰ３２の出力端子群３１６まで配線する必要がある。
【００６３】
次に、第１ドライバＩＣ317aの出力端子Xm+i+1'は、どのデータ電極X1〜Xiにも接続されないので入力端子NCに接続されるようになっている。換言すれば、出力端子Xm+i'が接続される入力端子xiに隣接する端子（Xm+i+1'に対応）をどのデータ電極X1〜Xiにも接続しないように入力端子群２１を構成している。一方、第２ドライバＩＣ317bの出力端子Xm+1'も同様に、どのデータ電極X1〜Xiにも接続されないので入力端子NCに接続されるようになっている。換言すれば、出力端子Xm+2'が接続される入力端子x1に隣接する端子（Xm+1'に対応）をどのデータ電極X1〜Xiにも接続しないように入力端子群２２を構成している。
【００６４】
このように、出力端子X1〜Xnのうち非接続の端子数を左右均等になるようにＴＣＰ上で配線することによってデータ電極数ｉよりも多い端子数の出力端子Xm+1'〜Xm+i+1'を使用可能にし、かつ、入力端子群２１、２２に非接続の入力端子NCを設けることによって各々のパネルで使用するドライバＩＣの出力端子を選択するようにしたので、第１ＴＣＰ３１において（スキャン方向が順方向）、第１番目のデータ電極X1を駆動する出力端子Xm+1'から左端の出力端子X1'までの端子数と、第２ＴＣＰ３２において（スキャン方向が逆方向）、第１番目のデータ電極Xiを駆動する出力端子Xm+i+1'から右端の出力端子Xn'までの端子数とを一致させることができる。
【００６５】
これにより、第１ＴＣＰ３１と第２ＴＣＰ３２の互換性を、プログラムソフトの変更を伴うことなく実現でき、しかも、液晶表示パネル１０のデータ電極数ｉよりも多い出力端子数ｎのドライバＩＣ３１７を使用することができる。このため、既存のドライバＩＣを活用することができ、当該液晶表示パネル１０に専用のドライバＩＣを新たに設計、製造する必要がなくなる。この結果、第１ＴＣＰ３１および第２ＴＣＰ３２の生産性を向上させる共にコストを削減することが可能となる。
【００６６】
さらに、第１ＴＣＰ３１と第２ＴＣＰ３２とには互換性があるので、液晶表示装置を製造する際、入力端子群２１に接続するＴＣＰと入力端子群２２に接続するＴＣＰを区別する必要がなくなる。このため、液晶表示装置の製造も容易となり、ＴＣＰのコスト削減と相まって、液晶表示装置自体のコストを削減することが可能である。
【００６７】
くわえて、この例では、ＴＣＰの基板上に配線を１本追加するとともに、第１パネル１０Ａと第２パネル１０Ｂに入力端子NCを各１個ずつ設けるだけでよいので、ＴＣＰの配線ピッチおよび入力端子ピッチの縮小を最小限にすることができる。したがって、高密度実装に好適である。
【００６８】
＜２．第２実施形態＞
上述した第１実施形態の液晶表示装置は、データ電極用の出力端子数がデータ電極数より多いドライバＩＣを用いたものであった。これに対して、第２実施形態の液晶表示装置は、走査電極用の出力端子数が走査電極数より多いドライバＩＣを用いるものである。
【００６９】
この例の液晶表示装置は、ドライバＩＣ３１７においてｉ本のデータ電極用の出力端子X1'〜Xi'とＳ（＝ｊ＋２ｔ＋１、ｔは０以上の整数）本の走査電極用の出力端子Y1〜Ysが設けられている点を、入力端子群２１、２２中の入力端子NCの配置を除いて、第１実施形態に係る液晶表示装置と同様に構成されているため、詳細な説明は省略し、ドライバＩＣと液晶表示パネルの接続について説明する。図１０は、第２実施形態に係る液晶表示装置におけるドライバＩＣと液晶表示パネルとの接続状態を説明するための模式図である。
【００７０】
この図に示すように、第１ドライバ317aの出力端子X1'〜Xi'は入力端子群２１の入力端子x1〜xiを介して第１パネル１０Ａのデータ電極X1〜Xiに接続されており、一方、第２ドライバ317bの出力端子X1'〜Xi'は入力端子群２１の入力端子xi〜x1を介して第１パネル１０Ａのデータ電極Xi〜X1に接続されている。このため、第１ドライバＩＣ317aを順方向で第２ドライバＩＣ317bを逆方向でスキャンさせることにより、第１パネル１０Ａおよび第２パネル１０Ｂともに、X1→X2→…→Xiの順にスキャンさせることが可能である。
【００７１】
次に、第１および第２ドライバＩＣ317a,317bの出力端子Yt+1'〜Yt+j+1'は、各々入力端子群２１、２２と接続できるように第１および第２ＴＣＰ３１,３２の出力端子群３１６まで配線が施されている。そして、第１ドライバＩＣ317aの出力端子Yt+1'〜Yt+j'は、入力端子y1〜yjを介して第１パネル１０Ａの走査電極Y1〜Yjと接続されている。また、その出力端子Yt+j+1'は入力端子yjに隣接する入力端子NCに接続されている。したがって、第１ドライバＩＣ317aの出力端子Yt+j+1'は走査電極の駆動に寄与せず、出力端子Yt+1'〜Yt+j'によって走査電極Y1〜Yjが駆動されることになる。
【００７２】
一方、第２ドライバＩＣ317bの出力端子Yt+2'〜Yt+j+1'は、入力端子yj〜y1を介して第２パネル１０Ｂの走査電極Yj〜Y1と接続されている。また、その出力端子Yt+1'は入力端子yjに隣接する入力端子NCに接続されている。したがって、第２ドライバＩＣ317bの出力端子Yt+1'は走査電極の駆動に寄与せず、出力端子Yt+2'〜Yt+j+1'によって走査電極Yj〜Y1が駆動されることになる。
【００７３】
ここで、第１パネル１０Ａの走査電極Y1に接続される第１ドライバ317aの出力端子Yt+1'は、出力端子Y1'からｔ番目の端子である。このため、第２パネル１０Ｂの走査電極Y1に接続される第２ドライバ317bの出力端子は、出力端子Ysからｔ番目の端子であることが必要である。このため、当該出力端子はYt+j+1'となっている。
【００７４】
このように第２実施形態は、データ電極用の出力端子を走査電極用の出力端子に置き換えたものであるから、第１ＴＣＰ３１と第２ＴＣＰ３２の互換性を、プログラムソフトの変更を伴うことなく実現できる等の第１実施形態と同様の効果を奏する。
【００７５】
＜３．電子機器：その１＞
次に、上述した液晶表示装置を電子機器に用いた例のいくつかについて説明する。
【００７６】
まず、この液晶表示装置をライトバルブとして用いたビデオプロジェクタについて説明する。図１１は、ビデオプロジェクタの構成例を示す平面図である。
【００７７】
この図に示すように、ビデオプロジェクタ１１００内部には、ハロゲンランプ等の白色光源からなるランプユニット１１０２が設けられている。このランプユニット１１０２から射出された投射光は、ライトガイド１１０４内に配置された複数のミラー１１０６、１１０６、……および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００７８】
液晶パネル１１１０Ｒ、１１１０Ｂおよび１１１０Ｇの構成は、上述した液晶表示パネル１０であり、図示しない回路から供給されるＲ、Ｇ、Ｂの原色信号でそれぞれ駆動される。さて、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００７９】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、対向基板１２にカラーフィルタを設ける必要はない。
【００８０】
＜４．電子機器：その２＞
さらに、液晶表示装置をパーソナルコンピュータに適用した例について説明する。図１２は、このパーソナルコンピュータの構成を示す正面図である。図において、パーソナルコンピュータ１２００は、キーボード１２０２を備えた本体部１２０４と、液晶ディスプレイ１２０６とから構成されている。この液晶ディスプレイ１２０６は、先に述べた液晶表示パネル１０にカラーフィルタとバックライトとを付加することにより構成される。
【００８１】
＜５．電子機器：その３＞
次に、液晶表示パネルを携帯電話機に適用した例について説明する。図１３は、この携帯電話機の斜視図である。この図に示すように、携帯電話機１３００は、液晶表示パネル１０を備えており、ボタン１３０２を押して相手先の電話番号を入力すると、当該電話番号や接続状態が液晶表示パネル１０に表示されるようになっている。
【００８２】
なお、図１１〜図１３を参照して説明した電子機器の他にも、液晶テレビや、ビューファインダ型、モニタ直視型のビデオテープレコーダ、カーナビゲーション装置、電子手帳、電卓、ワードプロセッサ、ワークステーション、ページャ、テレビ電話、POS端末、タッチパネルを備えた装置等などが電子機器の例として挙げられる。そして、これらの各種電子機器に適用可能なのは言うまでもない。
【００８３】
＜６．変形例＞
本発明は、上述した実施形態に限定されるものではなく、以下に述べる各種の変形が可能である。
【００８４】
（１）上述した各実施形態においては、ドライバＩＣ３１７の内部に走査電極駆動回路とデータ電極駆動回路を内蔵するようにしたが、本発明はこれに限定されるものではなく、走査電極駆動用のＴＣＰとデータ電極駆動用のＴＣＰとを個別に使用するようにしてもよい。
【００８５】
（２）また、上述した各実施形態では、液晶表示パネル１０として走査電極とデータ電極を備えるパッシブ・マトリックス形式のもの一例として取り挙げて説明したが、本発明はこれに限定されるものではなく、アクティブ・マトリクス方式の液晶表示パネルに適用してもよいことは勿論である。
【００８６】
そのような液晶表示パネルは、主に、マトリクス状に配列された画素電極の各々にスイッチング素子が設けられた素子アレイ基板と、カラーフィルタなどが形成された対向基板と、両基板の間に充填された液晶とから構成される。そして、画素電極と対向基板とその間に充填された液晶とにより液晶層が構成される。
【００８７】
このような構成において、スイッチング素子にオン（選択状態）の信号電圧を印加すると、当該スイッチング素子が導通状態となる。このため、当該スイッチング素子に接続された液晶層に所定の電荷が蓄積される。そして、電荷蓄積後、オフ（非選択状態）の信号電圧を印加してスイッチング素子をオフ状態としても、液晶層の抵抗が十分に高ければ、当該液晶層における電荷の蓄積が維持される。このように、各スイッチング素子を駆動して、蓄積させる電荷の量を制御すると、画素毎に液晶の配向状態が変化して、所定の情報を表示することが可能となる。この際、各画素毎の液晶層にオン状態となる信号電圧を印加して電荷を蓄積させるのは、一部の期間で良いため、各走査線を時分割に選択することにより、走査線およびデータ線を複数の画素について共通化したマルチプレックス駆動が可能となっている。なお、スイッチング素子としては、主に、薄膜トランジスタ（ＴＦＴ：Thin Film Transistor）などの３端子型ＴＦＴ素子と、薄膜ダイオード（ＴＦＤ：Thin Film Diode）などの２端子型非線形素子とに大別されるが、後者の２端子型非線形素子の方が、配線の交差部分がないために配線間の短絡不良が原理的に発生しない点、および、成膜工程およびフォトリソグラフィ工程を短縮できる点において有利である。
【００８８】
（３）また、上述した各実施形態においては、電気光学材料の一例をして液晶を用いたが、本発明はこれに限定されるものではなく、プラズマディスプレイ、フィールドエミッションデバイス等にも適用可能である。
【００８９】
（４）また、上述した各実施形態においては、駆動すべき電極数とドライバＩＣの出力端子数の差が奇数であるため、電極数に１を加えた数の出力端子をＴＣＰの出力端子群まで引き回してパネルの入力端子群に接続し、電極の駆動に用いない出力端子が接続される入力端子を電極と接続しないようにした。この場合、出力端子群まで引き回す出力端子の数は、「電極数＋１」でなくてもよい。要は、スキャン方向を逆転させた場合、同一のタイミングで電極が選択されるようにすればよいから、ドライバＩＣにおいて非接続の出力端子の数が左右均等になるようにドライバＩＣの出力端子の一部を出力端子群まで配線するようにすればよい。この場合には、入力端子群に非接続端子を複数設け、第１パネル１０Ａと第２パネル１０Ｂとで対応する電極が同時にスキャンされるようにすればよい。
【００９０】
（５）上述した実施形態は、１枚の液晶パネルを上下方向に分割したものであるが、本発明はこれに限定されるものではなく、左右方向に分割したものでも９０°回転したものとして考えることにより適用できる。
【００９１】
【発明の効果】
以上説明したように、本発明によれば、スキャン方向を逆転させるだけで第１画面用の実装構造体を第２画面用の実装構造体として使用することができる。この結果、スキャンタイミングを調整するためのソフト上の変更が不要となり、既存の駆動ＩＣを用いて第１画面と第２画面に兼用の実装構造体を容易に構成することができる。
【図面の簡単な説明】
【図１】  本発明の第１実施形態に係る液晶表示装置の要部概略構成を示すブロック図である。
【図２】  同実施形態に係る液晶表示パネルの構成を示す平面図である。
【図３】  図２に示す液晶表示パネルをＨ−Ｈ‘で切った断面図である。
【図４】  同実施形態に係る第１パネルを構成する基板上に形成される入力端子およびデータ電極Xを、シール部および遮光膜とともに示した平面図である。
【図５】  同実施形態に係る第１パネルを構成する対向基板の下面に形成されるデータ電極をシール部および遮光膜とともに示した平面図である。
【図６】  同実施形態に用いられるＴＣＰの透過平面図である。
【図７】  同実施形態に用いられるＴＣＰの断面図である。
【図８】  同実施形態に用いられるドライバＩＣと液晶表示パネルの接続状態を説明するための模式図である。
【図９】  同実施形態に用いられる第１ドライバＩＣと第２ドライバＩＣの各出力端子とデータ電極との対応関係を転送方向（スキャン方向）とともに各々示した模式図である。
【図１０】  第２実施形態に用いられるドライバＩＣと液晶表示パネルの接続状態を説明するための模式図である。
【図１１】  液晶表示パネルを適用した電子機器の一例たる液晶プロジェクタの構成を示す断面図である。
【図１２】  液晶表示パネルを適用した電子機器の一例たるパーソナルコンピュータの構成を示す正面図である。
【図１３】  液晶表示パネルを適用した電子機器の一例たる携帯電話機の構成を示す斜視図である。
【符号の説明】
１０……液晶表示パネル、
X1〜Xi……データ電極、
Y1〜Yj……走査電極、
１６……画素領域（画素）
１８……液晶層、
２１、２２……入力端子群
３１、３２……第１ＴＣＰ、第２ＴＣＰ（実装構造体）
１００Ａ、１００Ｂ……第１、第２の走査電極駆動回路、
１１０Ａ、１１０Ｂ……第１、第２のデータ電極駆動回路、
１２０……制御回路、
１３０……電源回路、
３１７……ドライバＩＣ
【図１】
0003794189.tif 000002
【図２】
0003794189.tif 000003
【図３】
0003794189.tif 000004
【図４】
0003794189.tif 000005
【図５】
0003794189.tif 000006
【図６】
0003794189.tif 000007
【図７】
0003794189.tif 000008
【図８】
0003794189.tif 000009
【図９】
0003794189.tif 000010
【図１０】
0003794189.tif 000011
【図１１】
0003794189.tif 000012
【図１２】
0003794189.tif 000013
【図１３】
0003794189.tif 000014